(57)【要約】  新しいエネルギ法則は、新たな発見によって確立し、それはエネルギ増加（拡大）の法則である。この増加は、新しいエネルギ法則のための知識と機会を提供する新しい発電プラントの「永久的な可動装置」によって達成される。これを可能にする機械が発明される。それはエネルギを最大２０倍増加し、無制限の倍率で倍増することが出来る。「永久的な可動装置」は、係数η＝２０で作動して、コスト無しで無制限のエネルギを有して作動する。【特許請求の範囲】
【請求項１】
新しいエネルギ法則は、新たな発見によって確立し、それはエネルギ増加（拡大）の法則である。この増加は、新しいエネルギ法則のための知識と機会を提供する新しい発電プラントの「永久的な可動装置」によって達成される。これを可能にする機械が発明される。それはエネルギを最大２０倍増加し、無制限の倍率で倍増することが出来る。「永久的な可動装置」は、係数η＝２０で作動して、コスト無しで無制限のエネルギを有して作動する。
【発明の詳細な説明】
【技術分野】
【０００１】
（論理一貫性の基礎）
ずっと昔から、エネルギは失われもしないし、得られもせず、一つの形態から別の形態に変化するのみだということが科学によって証明されてきた。しかし、新たな発明や驚きに対する追及が終焉するということを意味しない。この新しい現象を発明するために１２年間、仕事を実行してきた。「カルドラ」現象は、第２レベル（係数は１以上）の第２段階である永久的な可動装置に属する。
【背景技術】
【０００２】
エネルギは、従来の生産獲得方法ではほとんど対応不可能な地球規模の課題になっている。一方で、エネルギは地球規模の天候異変や地球温暖化の主な原因である。世界は不安にかられ、新たな形のエネルギやその生産を求めている。エネルギ不足のために、世界は間もなくエネルギ危機になるだろうが、一方で今日、公害や地球温暖化のために環境危機の中にある。しかし、電気的エネルギを非常に高いレベルまで、最大で２０倍までに増幅するための電気エネルギの専門家集団出身の世界にとってはチャンスである。我々の特許「カルドラ」が、地球規模のエネルギ問題と地球気候変化の解決に役に立つだろう。地球規模のレベルのエネルギ分野のためのこの驚きと革命的な契機に関する特許取得、世間の関心、及び容易化は、エネルギ生成のための化石燃料や消費燃料の使用を止め、世界規模のエネルギ価格を急速に下げ、同様に、開発途上の貧しい国の生活水準を改善する結果、環境の質や、環境及び地球の気候の防衛、維持可能な開発などのエネルギ市場に於ける新たな競争を出現させることによって、個人や公共の経営者に影響を与える。
【０００３】
エネルギは経済開発にとって必須である。現代社会の全般の発展は、健全で保護された環境と、その他の分野の安定的な発展と強く結び付いている。この地球規模の科学的なエネルギ革命は、８人の電気エネルギの専門家に由来するが、彼らのうちの２人は発電機に関する博士号を保持しており、他の２人は発電、送電に関する博士号を保持しており、他の４人は電気技術者である。本発明（永久的な可動装置の）の発明は、技術者である当方の名前、メディカルドラ（Ｍｅｈｄｉ  Ｋａｌｌｕｄｒａ）の名前で発行される。その他の専門家の名前は匿名とする。１０年間にこの専門家集団は、係数１０に到達した。最後の２年は、２０という係数、η＝２０という係数に到達するまで続いた。これは発電上の非常に高い係数であって、コストゼロで発電を可能にする。
【発明の概要】
【発明が解決しようとする課題】
【０００４】
（２．企画説明）
本新しい発電プラントに関する記述／説明を続けるために、他の発電プラントの働きとその係数について簡単に説明する。本新しい発電プラントと現存の発電プラントの間には大きな相違がある。電気エネルギは、水の運動エネルギと位置エネルギによって生み出されたもので、そのプラントは水力発電所と呼ばれる。一方、電気エネルギは石炭、石油、天然ガスなどの化石燃料によっても生み出され、これらのプラントは火力発電所と呼ばれる。
【０００５】
電気的エネルギは原子エネルギによって生成され、その中心は核プラント又は熱核反応プラントと呼ばれている。電気エネルギは、風力プラントを通して風力エネルギによって生成され、太陽エネルギによって生成された電気エネルギ、そのようなプラントは太陽熱プラントと呼ばれている。これらすべての発電プラントは、もっとずっと低い係数で発電を行っている。専門家によって設定された水力プラントの利用率は０８５乃至０９０；専門家によって設定された火力発電所の利用率は０８５；原子力発電所の利用率は０８５である。
【０００６】
これらのプラントが建設されたという模範によると、これ以上高い係数に達するのは不可能である。実験的データによれば、今日までに招来されたこれらの装置／機械によって、係数１で発電することの可能性はゼロである。これは、エネルギの一部は失われるからである。この係数は有用なエネルギと消費したエネルギの間の関係によって規定され、どれほどエネルギが消費されたか、どれほど有用なエネルギを得る／獲得したかを意味している。いかなるタイプの発電プラントに於いても、発電するよりも多くのエネルギが消費されるが、その理由は、エネルギの一部が消失するからである。消失は高く、これらの現存するプラントでは、１０乃至１５％になる。これらの消失は、古典的な発電のため、係数１が達成出来ないので、無くすことも出来ないし、減らすことも出来ない。過去に於いて、科学者は実験であらゆるタイプの発電プラントの係数を決定し、機械を介したエネルギ転移を次の関係で与えた。消費した電力はＰ１は獲得した有用な電力Ｐ２と消失した電力Ｐｇの和と等しい。つまり、Ｐ１＝Ｐ１＝Ｐ２＋Ｐｇこの関係から、使用係数とエネルギ法則を与える。
使用係数は、η＝Ｐ２／Ｐ１
【０００７】
一方、エネルギ法則によって、エネルギは消失されないし、得られも（増加も）しないが、１つの形態から別の形態に転移される。これは科学者が提示した法則である。この法則に従って、すべてのタイプの発電プラントは稼働し、動作し、この法則に従って、静的又は動的にかかわらず、最も単純な蒸気機関からスペースシャトルまですべての機械が動作する。
【０００８】
しかし、このプロジェクトで、我々は本発明を扱い、係数と法則を変えることを扱う。発電プラントに戻り、科学者の誤りがどこにあるか説明する。
【０００９】
係数はすべてのタイプの発電プラントで決定され、この係数は正確である。法則は係数の結果であるが、この主題／分野の科学者は、法則も係数も、現在までに発明された現代の機械にのみ適用されることを理解しなければならない。
【００１０】
新しい発電プラントを発明することによって、つまり、永久的な可動装置の発明によって、法則と係数の両方が失敗する。この専門家グループが新しいエネルギ法則を提起する。このグループによれば、新しいエネルギ法則は、エネルギは増加するというものである。この現象は、いつの時代も、世界の誰ひとりの科学者にも知られていなかった。これらの専門家は、エネルギを最大２０倍に増加させる機械を発明した。この新しいプラントは、係数η＝２０で動作する。これは、電気エネルギをコスト無しで、つまりコストの発生無しで、生成可能にする発電のための非常に高い係数である。今日までに発明されたすべての機械は単にエネルギを１つの形態から別の形態に転移するだけで、係数を増加させる機械は発明されていないと断言することには価値がある。再び言うと、係数λ＝２０は非常に高く、コストゼロの発電を可能にする。これは、最も新しいかつ最も洗練された永久的な可動装置である。
【課題を解決するための手段】
【００１１】
（科学者の誤り）
科学者の第一の誤りは、この法則の分析をしないで、法則を変えられないものとしたことである。この法則の簡単な分析があるべきであった。もしこの法則が先に分析されていれば、２つの方法で考察されているべきである。つまり、この法則は今日までに発明された機械／装置及び実際に応用されている規範では変えることが出来ないと考えられていると思われる。しかし、これらの機械や、現実に応用されている規範では変えられないものとしてこの法則を扱っている科学者は、男性科学者であっても、女性科学者であっても、将来の研究の可能性に身をゆだねている。
【００１２】
第２の誤りは、この法則は全体的に変えることができないと考えられていることである。科学者はこの法則を絶対的に捉えており、これは将来の研究にとって大きな障壁となるので、更なる発明はあり得ないことになる。従って、物理学、化学、エネルギの科学者は自分自身をこの方向に限定して、その結果、すべての科学者は、この法則が絶対的に変えられないものと考える。
【図面の簡単な説明】
【００１３】
【図１】課題についての記述に対する添付図。
【図２ａ】課題についての記述に対する添付図。
【図２ｂ】課題についての記述に対する添付図。
【図３】課題についての記述に対する添付図。
【図４】課題についての記述に対する添付図。
【図５】課題についての記述に対する添付図。
【図６】課題についての記述に対する添付図。
【図７】課題についての記述に対する添付図。
【図８ａ】課題についての記述に対する添付図。
【図８ｂ】課題についての記述に対する添付図。
【発明を実施するための形態】
【００１４】
（３．現在のプラントによる電気エネルギの生成）
（３．１火力発電プラントで石炭エネルギによって生成される電気エネルギ）
図１を参照して、水蒸気による火力発電プラントの作業工程について記述する。石炭エネルギを使用する火力発電プラントは、石炭を燃焼する炉から構成される。水タンクが炉の中に設置され、それは、水蒸気をタービンに送るためにスチームパイプに接続されている。そして、スチームタービンが設置され、タービンの軸は、発電機の軸に接続され、コンデンサ、コンデンサポンプ、及び水をボイラに送る水ポンプに接続している。運転原理は次のようなものである。石炭が炉の中で燃焼され、高温と水が生成されるが、ポンプでボイラに送られた水は、高温によって水蒸気に変換される。この水蒸気はパイプを通してタービンシリンダに送られ、その圧力によって、シリンダのピストンを動かす。シリンダピストンは、発電機の軸に結合されており、この経路で、水蒸気エネルギは機械的運転に変換される。水蒸気は運転母体である。
【００１５】
使用された水蒸気は、大気中に放出することが出来るが、もし、水によって冷却されたコンデンサに送られれば、それは使用することが出来る。この水はパイプとポンプを通して、ボイラに返送され、つまり、その水は最初の状態に戻される。このサイクルは周期的に繰り返される。この係数は、専門家によって、η＝０８５と決定されるが、これは、１ｋＷの石炭エネルギによって、エネルギロスのために、１ｋＷの電気エネルギを生成することは出来ないことを意味している。鉄と銅においてロスする。これらは、その他のロスなどとともに、各々の電気的装置で起こる磁気的及び電気的ロスである。もし、１０００Ｗの石炭エネルギを使えば、エネルギロスは最低で１５０Ｗとして、８５０Ｗ以上の電気エネルギを生成することはあり得ない。タービンの軸が、ジョイントによって発電機の軸に直接、接続されているために、係数を増加させることが出来ない。係数１は到達不可能である。
【００１６】
（３．２  原子力エネルギによって生成される電気エネルギ）
熱核反応プラントの運転工程は、古典的な火力発電プラント、つまり、石炭エネルギの発電プラントと同じ原理である。これらのプラントの新しい要素は、スチームボイラの中の炉の機能を実現する原子炉であり、核燃料として、ウラン２３３、ウラン２３５、ウラン２３８、及びプルトニウム２３９を使う。
【００１７】
原子力発電所の使用係数は、専門家によって決められており、それはη＝０８５である。１ｋＷの原子力エネルギで、エネルギロスのために、１ｋＷの電気エネルギを生成することは出来ない。もし１０００Ｗの原子力エネルギを消費すれば、生成出来る最大は、８５０ｋＷの電気エネルギであり、少なくとも１５０Ｗはエネルギロスをする。係数１は達成出来ない。発電機とタービンの軸は直接結合されている。
【００１８】
（３．３  天然ガスエネルギによって生成される電気エネルギ）
ガスタービンは、この発電プラントで使用されている。発電機の軸は、タービンの軸に直接接続されている。使用係数は、η＝０８５で、係数１は達成出来ない。
【００１９】
（３．４  石油エネルギによる電気エネルギの生成）
また、これらの発電プラントでは、発電機を動かす機械はディーゼルモータである。これらのタイプの発電プラントの使用係数は、η＝０８５であり、この係数は１まで増加出来ない。分かるように、すべての火力発電プラントでは、発電機の軸は、タービンまたはディーゼルモータの軸と直接結合されており、エネルギロスが発生し、係数は増加出来ない。
【００２０】
（３．５  水力エネルギによる電気エネルギ生成）
水タービンは、水力発電プラントで使用されている。水タービン又は水力タービンは、運動エネルギと位置エネルギを機械エネルギに転換する機械である。今日、実際に、３つの水タービンが使われている。
１．ペルトンタービン
２．フランシス水車
３．カプランタービン
【００２１】
これらのタービンは、発電機の出力、水の落ちる高さ、毎秒立方メートル換算の水量（ｍ３／ｓ）、及び回転数による。３００乃至２０００メートルの大きな落差の場合、ペルトンタービンが使用され、毎分、３０乃至６０回転の回転数を有している。３０乃至３００メートルの水の落差では、毎分６０乃至４５０回転のフランシス水車が使われる。
【００２２】
７乃至３０メートルの小さな水の落差では、回転数毎分４５０乃至１０００のカプランタービンが使われている。水力発電プラントでの係数は、η＝０８５−０９０である。１ｋＷの水エネルギで、エネルギロスのために、１ｋＷの電気エネルギを生成することは出来ない。
【００２３】
（４．エネルギバランス）
電気的機械が作動中、エネルギは様々な形態、場所に出現する。しかし、まず第一に、機械にもたらされ、機械から得られるのは電気エネルギである。機械によって生成されるか、機械にもたらされる機械的エネルギである。電気的機械に於いて、エネルギロスは鉄、銅に於いて現れ、つまり、磁気と電気的ロスが発生する。導体中の電流は、Ｉ２ｘＲのジュール熱が開放されるので、電気エネルギの一部を熱エネルギに変換する。
【００２４】
また、磁場の変化は、渦電流が磁場で惹起されるので熱を生成し、エネルギの一部がヒステリシスのために熱に変換される。軸受上の軸摩擦及びその摩擦と回転する部品の周りの気流の生成が熱を生み出す。機械のエネルギ図がより明らかになることは、機械を通過するエネルギのバランスを提示することである。消費する電力ＰＩは、常に、電力の一部は消失しＰｇかつ熱に変換するので、得る使用可能な電力Ｐ２よりも大きい。
Ｐ１−消費される電力
Ｐ２−使用可能電力
Ｐｇ−消失される電力
図２ａは、機械力（ＰＩ）をいかに持ってくるか、及びその出力で、電気力（Ｐ２）、発電機領域であるが、を得るかを示している。図２ｂは、その逆であり、電気力（ＰＩ）を持ってきて、機械力（Ｐ２）を得ている。
【００２５】
（５．パスカルの原理）
エネルギが増加するというエネルギ法則に関する本発明の後、パスカルの原理に関する簡単な記述をすることが必要である。物理学の科学者は完全な説明をしていないが、我々の専門家集団は、パスカルの原理に関する完全な説明をする積りである。
【００２６】
（パスカルの原理、水圧を増加するものと機械的利点）
水圧装置は、力を液体内の１つの場所から別の場所に伝えるために、油や水のような非圧縮性の液体を使用する。パスカルの原理に従えば、液体中の圧力の増加は、あらゆる場所に於いて、等しく、圧力を増加させる。
（水圧プレス）パスカルの原理を利用するいくつかの装置がある。図３は、水圧プレスを示している。水圧増強器の場合、シリンダピストンの表面を、入口のピストン表面よりも、出口に於いて大きくすることによって、小さい力を、大きな力を加えるために使用出来る。水力増強器がどのように働くのか見るために、図３に示されており、両方のピストンは同じ高さに位置している。
Ｆｏｕｔ／Ｓｏｕｔ  ＝  Ｆｉｎ／Ｓｉｎ        
Ｆｏｕｔ／Ｆｉｎ  ＝  Ｓｏｕｔ／Ｓｏｕｔ
強度  Ｆｏｕｔ／Ｆｏｕｔ  は、水圧プレスの機械的利点と呼ばれ、入口／出口ピストンの表面積の比と等しい。
（実施例）出口リンダのピストンの表面が、入口シリンダの表面より２０倍大きい場合には、どの程度の力で、２００００Ｎの自動車を持ち上げることが出来るか。その答えは以下の式から導かれる。
入口の力は１０００Ｎで、機械的利点は２０、使用係数は、η＝２０。
Ｆｉｎ  ＝  Ｆｏｕｔ  ｘ  Ｓｉｎ／Ｓｏｕｔ  
＝  ２００００  ｘ  １／２０  ＝  １０００Ｎ
【００２７】
エネルギ法則によれば、エネルギは増加させることは出来ないが、パスカルの原理によれば、エネルギは、高い係数で増加する。この法則の第一の不利益な点は、パスカルの原理で増加したエネルギは乗算することが出来ないことである。第二の不利益な点は、今日に至るまで、科学者は電気的エネルギを生み出すために、この法則を使用する可能性を持たなかったことである。パスカルの原理は、航空機、大型トラック、自動車のブレーキ装置に使われている。この原理はまた、着陸機構と重量物昇降のシステムの水圧システムに使われている。パスカルの原理で、エネルギが何十倍、何百倍と増加しても、乗算することが出来ない。我々、８人の専門家は、エネルギを最大２０倍まで増加する機械を発明して、この増加されたエネルギを無限大まで乗算し、このモデルによって、電気エネルギを生成することの可能性を得ている。いつか、科学者は、パスカルの原理であろうと、その他のものであろうと、我々が使用したモデルがなんであるか知る機会を得るだろう。
【００２８】
（６．係数２０を有する新しい発電プラントによる電気エネルギの生成）
永久的な可動装置は、今まで述べて来た発電プラントとは、構造及び電気エネルギ生成の両面で異なる。上で述べたように、発電プラントでは、電気エネルギの多大なロスが起こるが、永久的可動装置では、使用係数が非常に高く、η＝２０であるため、これらのロスは考えられず、それは、１ｋＷの水又は石炭、天然ガス、石油、あるいは原子力エネルギで、２０ｋＷの電気エネルギを生成することを意味している。電気エネルギに転換する上記のエネルギのうちのどれかで、我々は、２０ｋＷの電気エネルギを生成するために、１ｋＷの可能性を有している。図４は、電気モータ、増幅器、発電機を示している。
【００２９】
増幅器は、エネルギを増加させる機械である。それは、２つの部品、つまり、第一と第二の部品から構成されている。１ｋＷの第一に入ったエネルギは、そのエネルギを２０ｋＷに増加させる第二に変換される。この増加は増幅器の入口の発電機１ｋＷの出口で測定され、発電機の出口での電力は２０ｋＷである。電気モータで消費されるエネルギは、発電機の消費エネルギと同様に測定された。すべての測定は、電力測定のための各々の計器によって行われ、その測定によって、係数η＝２０が決定された。発明した機械によって消費した電気エネルギ１ｋＷによって、２０ｋＷの電気エネルギを発電する。電気エネルギ生成のための係数が非常に高いが、この係数は１００％正確な実験と測定によって決められる。テクノロジは議論であり、エネルギは測定であるということには疑う必要はない。ある日、この議論は、この分野の各々の科学者に役に立つだろう。
【００３０】
図５は、この機械、つまり増幅器のこれら２つの部分を図示している。これらの機械の第二のものは３つの部分から構成されている。図６はその３つの第二の部分を図示している。分かるように、第二のものは３つの部分から構成されている。第一から受け取ったエネルギ１ｋＷは、第二によって２０倍に増加され、その結果、２０ｋＷとなる。これは、エネルギを増加させる第一の機械である。今まで発明されたこの種類の最初のもので、いつの時代の科学者にも知られていなかった機械である。これは、世界を変革する偉大な機械である。
【００３１】
（７．新しい発電プラントは高い能力でどのように作動するか）
コストを掛けないで電気エネルギを生成するために、新しい発電プラントは次のように作動する。全体のシステムは発電プラントの中に建設される必要がある。このシステムは、６．５ＭＷの能力を有するディーゼルモータと、Ｐ＝６．５ＭＷのパワーを有する電気モータ番号１、増幅器番号１、Ｐ＝１３０ＭＷのパワーを有する発電機番号1，電気エネルギを変換し、分配するための変圧器と、電気エネルギ送信のための架空線によって構成される。このシステムの部分は電気モータ２、３、４、５、６、７、８、９、１０、１１、１２、１３、１４、１５、１６、１７、１８で、それらの各々はＰ＝６．５ＭＷの電力を有し、増幅器２、３、４、５、６、７、８、９、１０、１１、１２、１３、１４、１５、１６、１７、１８、及び発電機２、３、４、５、６、７、８、９、１０、１１、１２、１３、１４、１５、１６、１７、１８である。
【００３２】
つまり、新しいプラントは、１つのディーゼルモータと、１８個の電気モータと、１８個の増幅器（エネルギを増加させる機械）、１８個の発電機と、３個の変圧器と、架空線から構成される。ディーゼルモータの電力は６．５ＭＷ；各々の電気モータの電力はＰ＝６．５ＭＷ，各々の発電機の電力はＰ＝１３０ＭＷである。これは、現在の発電プラントと大きく異なる永久的な可動装置プラントの完全なシステムである。図７は、同一の消費者を持つ自律的システムの中の１８ユニットを有する単一エネルギ構想を示している。発電機はＰ＝１３０ＭＷの能力を有している。
【００３３】
このシステムに於いて、現在の発電プラントで、電気エネルギを生産するために水力エネルギを使用する場合、このＰ＝１３０ＭＷの発電機に何のエネルギを与えるべきかについて説明する。水力発電所の１３０ＭＷの発電機の最大係数は、０９０である。最大能力で作動するためには、この発電機は１４３ＭＷの水力エネルギを受け取らなければならない。電気エネルギのロスは１３ＭＷである。火力発電所で電気エネルギを生成する場合、火力発電プラントの係数はη＝０８５であり、１３０ＭＷのこの発電機は１４９．５ＭＷの能力を必要とし、１９ＭＷが電気エネルギロスである。
【００３４】
新しいプラントの係数は、η＝２０である。１３０ＭＷのこの発電機をわずかＰ＝６．５ＭＷで、最大能力で運転する。発電機は最大能力を発揮して、係数η＝２０に達する。コスト無しで新しいプラントで電気エネルギを生産するために、発電プラントはこのように作動する。係数η＝２０で、Ｐ＝６．５ＭＷの能力で運転開始すると、出力でＰ＝１３０ＭＷを得る。発電機番号１は石油エネルギでディーゼルモータを作動させる。ディーゼルモータは、グリッドの同期が取れるまで作動する。同期が取れた時、発電機番号１のグリッドから電気エネルギ６．５ＭＷを得て、これによって、電気モータ１を作動させる。電気モータ番号１を作動させるとすぐ、仕事を止めるか／ディーゼルモータを止める。この瞬間以降、発電機１は電気エネルギを生産して、何も消費しない。コストはゼロである。グリッドの中の変圧器の外部のＰ＝１３０ＭＷを有する発電機番号１は、少なくとも１２３ＭＷの電気エネルギを与える。電気モータ番号１のために、発電機番号１の電気エネルギ６．５ＭＷを消費する。発電機番号１の利用可能電気エネルギは１１６．５ＭＷ残っており、これらの発電機番号１の残りの１１６．５ＭＷは、発電機２、３、４、５、６、７、８、９、１０、１１、１２、１３、１４、１５、１６、１７、１８を作動する。
【００３５】
発電機番号１のエネルギは、発電機１、２、３、４、５、６、７、８、９、１０、１１、１２、１３、１４、１５、１６、１７、１８を作動する電気モータ１、２、３、４、５、６、７、８、９、１０、１１、１２、１３、１４、１５、１６、１７、１８で消費される。係数η＝２０を有する新しいプラントモデルで、能力Ｐ＝１３０ＭＷの１台の発電機のエネルギで、同じ電力Ｐ＝１３０ＭＷを有する１８台の発電機を作動させることが可能である。
【００３６】
発電機２、３、４、５、６、７、８、９、１０、１１、１２、１３、１４、１５、１６、１７、１８のエネルギは、消費者のために使う。これらの発電機２、３、４、５、６、７、８、９、１０、１１、１２、１３、１４、１５、１６、１７、１８は、トータルで２０９１ＭＷの電気エネルギを生産する。この電気エネルギ２０９１ＭＷが消費者にとって不足な場合、及び、例えば、５０００ＭＷ又は１００００ＭＷなどのより高いエネルギ需要がある場合、電気の生産プロセスを次の様に進める。発電機２、３、４、５、６、７、８、９、１０、１１、１２、１３、１４、１５、１６、１７、１８の各々の発電機は、新しいプラントの新しいモデルによって、その他の６つの発電機を作動するので、１７ｘ６＝１０２発電機となる。これら１０２の発電機の各々はＰ＝１３０ＭＷの能力を有し、これら１０２の発電機は、トータルで、コスト無しで１２５４６ＭＷの電気エネルギを生産している。１２５４６ＭＷの電気エネルギが消費者に不足する場合、つまり、例えば、２００００ＭＷ又は２５０００ＭＷなどの電気エネルギに対するより高い需要がある場合、この生産プロセスを続けることになる。これらの１０２の発電機の各々が別の６つの発電機、つまり１０２ｘ６＝６１２の発電機を作動させる。これらの６１２の発電機の各々はＰ＝１３０ＭＷの能力を有しており、これらの６１２の発電機は、トータルで６１２ｘ１２３＝７５２７５ＭＷをコスト無しで生産する。この新しい発電プラントはＸ台の発電機の使用を可能にし、コスト無しで無制限の電力を手に入れること、つまり、コスト無しで、電力を増加させる。これは、画期的な発明である。
【００３７】
（８．新しいプラントのエネルギバランス）
新しい発電プラントは、使用係数が非常に高く、η＝２０であるため、電気エネルギのロスは無い。今日作動する発電プラントは、エネルギの一部が失われる（Ｐｇ）だけであるので、常に、入力（Ｐ１）に於ける電力は、出力（Ｐ２）に於ける電力よりも高い。係数は小さい。新しい発電プラントでは、入力のエネルギは小さく（Ｐ１）、一方、出力のエネルギは非常に高い。１ｋＷの入力と、２０ｋＷの出力で、η＝２０である。
【００３８】
図８Ａの発電機で、機械的エネルギ（Ｐ１）をもたらすと、出力で、電気エネルギ（Ｐ２）を得る。入力（Ｐ１）のエネルギは非常に小さく、出力（Ｐ２）のエネルギはそれよりはるかに高い。入力のエネルギは１ｋＷで、出力のエネルギは２０ｋＷであり、η＝２０である。
【００３９】
図８Ｂの発電機に於いても、電気エネルギ（Ｐ１）をもたらすと、機械的エネルギＰ２を得る。入力Ｐ１のエネルギは非常に小さく、出力でははるかに高い。入力のエネルギは１ｋＷであり、出力では、２０ｋＷで、η＝２０である。
【００４０】
新しい発電プラントである永久的な可動装置では、使用係数は非常に高く、η＝２０であるためのエネルギロスは考えられない。本発明は実験的方法で達成されており、それは１００％正確である。本発明に関する仕事は１２年間継続している。本発明の多くの利益は莫大で、３つの文章に要約することが出来る。エネルギは地球規模の問題であるが、本発明によって、エネルギ問題は地球規模で解決することが出来る。地球温暖化については、本発明によって、地球温暖化は解決する。世界をより良い方向に変えていく。世界は繁栄するだろう。
【図１】
2014509825.tif 000002
【図２ａ】
2014509825.tif 000003
【図２ｂ】
2014509825.tif 000004
【図３】
2014509825.tif 000005
【図４】
2014509825.tif 000006
【図５】
2014509825.tif 000007
【図６】
2014509825.tif 000008
【図７】
2014509825.tif 000009
【図８ａ】
2014509825.tif 000010
【図８ｂ】
2014509825.tif 000011